(57)【要約】【課題】印刷実行した際にはメンテナンス動作に入ることなく、即座に印刷結果を得る画像形成装置及びその方法を提供する。【解決手段】画像形成装置１は、記録媒体に画像を形成する画像形成手段と、室内照明の明るさを測定するセンサー３と、記録媒体に画像を記録するヘッド４と、ヘッド４をメンテナンスする維持手段と、を有する。該画像形成装置１の画像形成手段は、センサー３により室内照明の消灯及び点灯の何れかを検出した場合に、維持手段によりヘッド４のメンテナンスを実施させる。【選択図】図１
2009255425.tif 000002
【特許請求の範囲】
【請求項１】
記録媒体に画像を形成する画像形成手段と、
室内照明の明るさを測定するセンサーと、
前記記録媒体に画像を記録するヘッドと、
前記ヘッドをメンテナンスする維持手段と、を有し、
前記画像形成手段は、前記センサーにより室内照明の消灯及び点灯の何れかを検出した場合に、前記維持手段により前記ヘッドのメンテナンスを実施させることを特徴とする画像形成装置。
【請求項２】
前記画像形成手段は、前記センサーによる前記検出から所定の時間が経過した場合に、前記維持手段により前記ヘッドのメンテナンスを実施させることを特徴とする請求項１記載の画像形成装置。
【請求項３】
電源状態を制御する電源管理手段をさらに有し、
前記電源管理手段は、前記メンテナンスの終了後に電源状態を夜間省エネモードに移行させることを特徴とする請求項１又は２に記載の画像形成装置。
【請求項４】
電源状態を制御する電源管理手段をさらに有し、
前記電源管理手段は、前記メンテナンスの終了後に電源状態を電源ＯＦＦに移行させることを特徴とする請求項１又は２に記載の画像形成装置。
【請求項５】
電源状態を制御する電源管理手段をさらに有し、
前記電源管理手段は、前記メンテナンスの終了後に電源状態を日中省エネモードに移行させることを特徴とする請求項１又は２に記載の画像形成装置。
【請求項６】
電源状態を制御する電源管理手段をさらに有し、
前記電源管理手段は、前記メンテナンスの終了後に電源状態を通常稼動モードに移行させることを特徴とする請求項１又は２に記載の画像形成装置。
【請求項７】
前記メンテナンスの種別は、ヘッドクリーニング及びヘッドリフレッシングを含むことを特徴とする請求項１から６の何れか１項に記載の画像形成装置。
【請求項８】
前記メンテナンスを実施する日時と、該日時に実施するメンテナンスの種別と、の設定入力を受けるカレンダー手段をさらに有し、
前記カレンダー手段が受けた該設定に基づいて前記メンテナンスを実施することを特徴とする請求項１から７の何れか１項に記載の画像形成装置。
【請求項９】
インクの残量を検出するインク残量検出手段をさらに有し、
前記インク残量検出手段により検出されたインク残量に基づいて、ヘッドクリーニング及びヘッドリフレッシングの何れかを選択してメンテナンスを実施することを特徴とする請求項１から８の何れか１項に記載の画像形成装置。
【請求項１０】
記録媒体に画像を形成するステップと、
室内照明の明るさを測定するステップと、
前記記録媒体に画像を記録するステップと、
前記記録媒体に画像を記録するヘッドをメンテナンスするステップと、を有し、
前記形成するステップは、前記測定するステップにより室内照明の消灯及び点灯の何れかを検出した場合に、前記メンテナンスするステップにより前記ヘッドのメンテナンスを実施させることを特徴とする画像形成方法。
【発明の詳細な説明】
【技術分野】
【０００１】
本発明は、メンテナンス動作を制御する画像形成装置及びその方法に関する。
【背景技術】
【０００２】
従来から、インクジェット方式の画像形成装置が多く普及している。そのインクジェット方式の画像形成装置に用いられるインクヘッドは、ヘッドクリーニングやヘッドリフレッシングといったメンテナンス動作が必要である。特に、プリントボリュームの多いインクジェット方式の画像形装置ではメンテナンス動作の頻度が高くなる。そこで、印刷ジョブが着信した際に条件に応じてメンテナンス動作を行う技術が提案されている。しかし、今までのジョブ着信時のメンテナンス動作では、メンテナンス動作開始からメンテナンス動作終了までに時間がかかるため、利用者が直ぐに印刷結果を得たいときに、即座に印刷結果を得ることができないという問題があった。
【０００３】
また、省エネを目的として、室内照明に反応して画像形成装置の電源をＯＮ／ＯＦＦする技術が開示されている（例えば特許文献１）。具体的には、光量に応じた受光信号を電源回路に出力する光量検出部を有し、電源回路は前記光量検出部が出力した受光信号に基づいて画像形成装置への電源の供給、遮断又は待機を行う技術である。後述する本発明と、室内照明に反応する点では確かに類似点がある。
【特許文献１】特開２００５−８８５２１号公報
【発明の開示】
【発明が解決しようとする課題】
【０００４】
しかし、上記技術では、ジョブ着信時にメンテナンス動作を行ってしまうという上述した問題を解決することは未だにできない。
【０００５】
本発明はこのような実情を鑑みてなされたものであり、印刷実行した際にはメンテナンス動作に入ることなく、即座に印刷結果を得る画像形成装置及びその方法を提供することを目的とする。
【課題を解決するための手段】
【０００６】
本発明の画像形成装置は、記録媒体に画像を形成する画像形成手段と、室内照明の明るさを測定するセンサーと、記録媒体に画像を記録するヘッドと、ヘッドをメンテナンスする維持手段と、を有し、画像形成手段は、センサーにより室内照明の消灯及び点灯の何れかを検出した場合に、維持手段によりヘッドのメンテナンスを実施させることを特徴とする。
【０００７】
本発明の画像形成装置は、画像形成手段は、センサーによる前記検出から所定の時間が経過した場合に、維持手段によりヘッドのメンテナンスを実施させることを特徴とする。
【０００８】
本発明の画像形成装置は、メンテナンスを実施する日時と、該日時に実施するメンテナンスの種別と、の設定入力を受けるカレンダー手段をさらに有し、カレンダー手段が受けた該設定に基づいてメンテナンスを実施することを特徴とする。
【０００９】
本発明の画像形成装置は、インクの残量を検出するインク残量検出手段をさらに有し、インク残量検出手段により検出されたインク残量に基づいて、ヘッドクリーニング及びヘッドリフレッシングの何れかを選択してメンテナンスを実施することを特徴とする。
【００１０】
本発明の画像形成方法は、記録媒体に画像を形成するステップと、室内照明の明るさを測定するステップと、記録媒体に画像を記録するステップと、記録媒体に画像を記録するヘッドをメンテナンスするステップと、を有し、形成するステップは、測定するステップにより室内照明の消灯及び点灯の何れかを検出した場合に、メンテナンスするステップによりヘッドのメンテナンスを実施させることを特徴とする。
【発明の効果】
【００１１】
本発明によれば、メンテナンス動作をジョブ着信時ではなく、画像形成装置が利用されない時に自動的に実行する。そのため、印刷実行した際にはメンテナンス動作に入ることなく、即座に印刷結果を得ることが可能となる。
【発明を実施するための最良の形態】
【００１２】
以下に本発明の実施形態について、図面を用いて詳細に説明する。
【００１３】
図１は、本発明の実施形態に係る画像形成装置の有する機能の例を示す。図示するように、本実施形態の画像形成装置１は、画像形成部２、センサー３、記録ヘッド４、維持装置５、カレンダー機能部６、インク残量検出部７、電源管理部８、を有する。
【００１４】
画像形成部２は、記録ヘッド４を用いて記録媒体に画像を形成する。また、画像形成部２は、維持装置５を用いて記録ヘッド４のメンテナンス動作を行う。メンテナンス動作には、ヘッドクリーニングとヘッドリフレッシングが含まれる。画像形成部２は、センサー３によって検出される室内照明の明るさと、その継続時間に基づいてメンテナンス動作を開始する。カレンダー機能部６とインク残量検出部７は、メンテナンス動作の条件の決定に用いられる。メンテナンス動作後の電源状態は、メンテナンス動作開始前のセンサー３の検出結果により電源管理部８によって電源ＯＦＦ、夜間省エネモード、日中省エネモード、通常待機モードのいずれかの状態となる。尚、消費電力は電源ＯＦＦ、夜間省エネモード、日中省エネモード、通常待機モードの順に多くなる。
【００１５】
（実施形態１）
図２は、本実施形態に係る画像形成装置１が室内照明消灯時にメンテナンスを行う処理の流れの例を示す。本実施形態では、室内照明消灯時にメンテナンスを行う処理の流れについて、図２に示すフローチャートを用いて詳細に説明する。
【００１６】
まず、画像形成装置１は、室内照明が点灯しているとセンサー３が判断し、点灯待機状態である（ステップＳ２０１）。次に、センサー３が室内照明消灯を検知したか否かを判断する（ステップＳ２０２）。照明消灯を検知しない場合（ステップＳ２０２／ＮＯ）は、上記ステップＳ２０１の状態、すなわち点灯待機状態に戻る。一方、センサー３が照明消灯を検知した場合（ステップＳ２０２／ＹＥＳ）は、画像形成部２が維持装置５を用いて記録ヘッド４のメンテナンスを実施する(ステップＳ２０３)。メンテナンスが終了すると、消灯待機状態に移行する（ステップＳ２０４）。
【００１７】
本実施形態により、メンテナンスを室内から人がいなくなり、室内照明が消灯した場合に行うことで、画像形成装置１が使用されていないときに自動的にメンテナンスを実施することが可能となる。そのため、次に利用者が印刷実行をした場合にはメンテナンスを実施しないので、利用者はメンテナンス動作で待たされることはなく、即座に印刷結果を得ることが可能となる。すなわち、利用者の利便性を向上させることが可能となる。
【００１８】
（実施形態２）
図３は、本実施形態に係る画像形成装置１が室内照明消灯時にメンテナンスを行う処理の流れの例を示す。本実施形態では、室内照明消灯時にメンテナンスを行う処理の流れについて、図３に示すフローチャートを用いて詳細に説明する。
【００１９】
まず、画像形成装置１は、室内照明が点灯しているとセンサー３が判断し、点灯待機状態である（ステップＳ３０１）。次に、消灯状態の経過時間のカウントをリセットする（ステップＳ３０２）。続いて、センサー３が室内照明消灯を検知したか否かを判断する（ステップＳ３０３）。照明消灯を検知しない場合（ステップＳ３０３／ＮＯ）は、上記ステップＳ３０１の状態、すなわち点灯待機状態に戻る。一方、センサー３が照明消灯を検知した場合（ステップＳ３０３／ＹＥＳ）は、消灯状態の経過時間が、所定時間を越えたか否かを判断する（ステップＳ３０４）。
【００２０】
消灯状態の経過時間が所定時間を越えていない場合（ステップＳ３０４／ＮＯ）は、経過時間をカウントアップし（ステップＳ３０５）、上記ステップＳ３０３の処理に戻る。一方、消灯状態の経過時間が所定時間を越えている場合（ステップＳ３０４／ＹＥＳ）は、画像形成部２が維持装置５を用いて記録ヘッド４のメンテナンスを実施する(ステップＳ３０６)。メンテナンスが終了すると、消灯待機状態に移行する（ステップＳ３０７）。
【００２１】
室内照明が消灯して直ぐにメンテナンスを実施すると、誤って消灯した場合にもメンテナンスを実施してしまう。また、忘れ物等で短時間だけ室内照明が点灯する場合には、メンテナンスが適切に動作しない可能性がある。しかし、本実施形態によれば、センサー３が室内照明の消灯を検出し、消灯状態が所定の時間を経過した場合に、画像形成部２はメンテナンスを実施する。そのため、忘れ物等で短時間だけ室内照明が点灯、消灯する場合であっても、適切にメンテナンスを実施することが可能となる。
【００２２】
（実施形態３）
図４は、本実施形態に係る画像形成装置１が室内照明点灯時にメンテナンスを行う処理の流れの例を示す。本実施形態では、室内照明点灯時にメンテナンスを行う処理の流れについて、図４に示すフローチャートを用いて詳細に説明する。
【００２３】
まず、画像形成装置１は、室内照明が消灯しているとセンサー３が判断し、消灯待機状態である（ステップＳ４０１）。次に、センサー３が室内照明点灯を検知したか否かを判断する（ステップＳ４０２）。照明点灯を検知しない場合（ステップＳ４０２／ＮＯ）は、上記ステップＳ４０１の状態、すなわち消灯待機状態に戻る。一方、センサー３が照明点灯を検知した場合（ステップＳ４０２／ＹＥＳ）は、画像形成部２が維持装置５を用いて記録ヘッド４のメンテナンスを実施する(ステップＳ４０３)。メンテナンスが終了すると、点灯待機状態に移行する（ステップＳ４０４）。
【００２４】
本実施形態により、室内に人が入室して室内照明が点灯し、センサー３が室内照明の点灯を検知した場合にメンテナンスを実施することが可能となる。通常、利用者は入室して直ぐには画像形成装置を利用しないことが多い。そのため、利用者が画像形成装置１を利用し、印刷実行するまでにメンテナンスを終了することが可能となる。また、室内照明消灯時メンテナンスを実施したくない場合、利用者がいる場合にメンテナンスを行いたい場合などに有効である。
【００２５】
（実施形態４）
図５は、本実施形態に係る画像形成装置１が室内照明点灯時にメンテナンスを行う処理の流れの例を示す。本実施形態では、室内照明点灯時にメンテナンスを行う処理の流れについて、図５に示すフローチャートを用いて詳細に説明する。
【００２６】
まず、画像形成装置１は、室内照明が消灯しているとセンサー３が判断し、消灯待機状態である（ステップＳ５０１）。次に、点灯状態の経過時間のカウントをリセットする（ステップＳ５０２）。続いて、センサー３が室内照明点灯を検知したか否かを判断する（ステップＳ５０３）。照明点灯を検知しない場合（ステップＳ５０３／ＮＯ）は、上記ステップＳ５０１の状態、すなわち消灯待機状態に戻る。一方、センサー３が照明点灯を検知した場合（ステップＳ５０３／ＹＥＳ）は、点灯状態の経過時間が、所定時間を越えたか否かを判断する（ステップＳ５０４）。
【００２７】
点灯状態の経過時間が所定時間を越えていない場合（ステップＳ５０４／ＮＯ）は、経過時間をカウントアップし（ステップＳ５０５）、上記ステップＳ５０３の処理に戻る。一方、点灯状態の経過時間が所定時間を越えている場合（ステップＳ５０４／ＹＥＳ）は、画像形成部２が維持装置５を用いて記録ヘッド４のメンテナンスを実施する(ステップＳ５０６)。メンテナンスが終了すると、点灯待機状態に移行する（ステップＳ５０７）。
【００２８】
室内照明が点灯して直ぐにメンテナンスを実施すると、忘れ物等で短時間だけ室内照明が点灯する場合にも、メンテナンスを実行してしまう。しかし、本実施形態によれば、センサー３が室内照明の点灯を検出し、点灯状態が所定の時間を経過した場合に、画像形成部２はメンテナンスを実施する。そのため、忘れ物等で短時間だけ室内照明が点灯、消灯する場合であっても、適切にメンテナンスを実施することが可能となる。
【００２９】
（実施形態５）
図６は、本実施形態に係る画像形成装置１が室内照明消灯時に記録ヘッド４のクリーニングを行う処理の流れの例を示す。本実施形態では、室内照明消灯時に記録ヘッド４のクリーニングを行う処理の流れについて、図６に示すフローチャートを用いて詳細に説明する。
【００３０】
まず、画像形成装置１は、室内照明が点灯しているとセンサー３が判断し、点灯待機状態である（ステップＳ６０１）。次に、センサー３が室内照明消灯を検知したか否かを判断する（ステップＳ６０２）。照明消灯を検知しない場合（ステップＳ６０２／ＮＯ）は、上記ステップＳ６０１の状態、すなわち点灯待機状態に戻る。一方、センサー３が照明消灯を検知した場合（ステップＳ６０２／ＹＥＳ）は、画像形成部２が維持装置５を用いて記録ヘッド４のクリーニングを実施する(ステップＳ６０３)。記録ヘッド４のクリーニングが終了すると、消灯待機状態に移行する（ステップＳ６０４）。
【００３１】
本実施形態により、室内から人がいなくなり、室内照明が消灯した場合に記録ヘッド４のクリーニングを行うことで、画像形成装置１が使用されていないときに自動的に記録ヘッド４のクリーニングを実行することが可能となる。そのため、次に利用者が印刷実行をした場合には記録ヘッド４のクリーニングを実行しないので、利用者は記録ヘッド４のクリーニングで待たされることはなく、即座に印刷結果を得ることが可能となる。すなわち、利用者の利便性を向上させることが可能となる。
【００３２】
尚、本実施形態ではメンテナンス種別を記録ヘッド４のクリーニングに固定する例について説明したが、これに限定されるものではなく、メンテナンス動作の種別は記録ヘッド４のリフレッシングや他のメンテナンスにも適用することが可能である。
【００３３】
また、本実施形態では、室内照明が消灯されたとセンサー３が検知した場合に、メンテナンス動作を実施する例について説明したが、室内照明が点灯されたとセンサー３が検知した場合に上述した処理を実施するようにすることも可能である。
【００３４】
（実施形態６）
図７は、本実施形態に係る画像形成装置１が室内照明消灯時に記録ヘッド４のリフレッシングを行う処理の流れの例を示す。本実施形態では、室内照明消灯時に記録ヘッド４のリフレッシングを行う処理の流れについて、図７に示すフローチャートを用いて詳細に説明する。
【００３５】
まず、画像形成装置１は、室内照明が点灯しているとセンサー３が判断し、点灯待機状態である（ステップＳ７０１）。次に、消灯状態の経過時間のカウントをリセットする（ステップＳ７０２）。続いて、センサー３が室内照明消灯を検知したか否かを判断する（ステップＳ７０３）。照明消灯を検知しない場合（ステップＳ７０３／ＮＯ）は、上記ステップＳ７０１の状態、すなわち点灯待機状態に戻る。一方、センサー３が照明消灯を検知した場合（ステップＳ７０３／ＹＥＳ）は、消灯状態の経過時間が、所定時間を越えたか否かを判断する（ステップＳ７０４）。
【００３６】
消灯状態の経過時間が所定時間を越えていない場合（ステップＳ７０４／ＮＯ）は、経過時間をカウントアップし（ステップＳ７０５）、上記ステップＳ７０３の処理に戻る。一方、消灯状態の経過時間が所定時間を越えている場合（ステップＳ７０４／ＹＥＳ）は、画像形成部２が維持装置５を用いて記録ヘッド４のリフレッシングを実施する(ステップＳ７０６)。記録ヘッド４のリフレッシングが終了すると、消灯待機状態に移行する（ステップＳ７０７）。
【００３７】
室内照明が消灯して直ぐに記録ヘッド４のリフレッシングを実施すると、誤って消灯した場合にも記録ヘッド４のリフレッシングを実施してしまう。また、忘れ物等で短時間だけ室内照明が点灯する場合には、記録ヘッド４のリフレッシングが適切に動作しない可能性がある。しかし、本実施形態によれば、センサー３が室内照明の消灯を検出し、消灯状態が所定の時間を経過した場合に、画像形成部２は記録ヘッド４のリフレッシングを実施する。そのため、忘れ物等で短時間だけ室内照明が点灯、消灯する場合であっても、適切にメンテナンスを実施することが可能となる。
【００３８】
尚、本実施形態ではメンテナンスの種別を記録ヘッド４のリフレッシングに固定する例について説明したが、これに限定されるものではなく、メンテナンス動作の種別は記録ヘッド４のクリーニングや他のメンテナンスにも適用することが可能である。
【００３９】
また、本実施形態では、室内照明が消灯されたとセンサー３が検知した場合に、メンテナンス動作を実施する例について説明したが、室内照明が点灯されたとセンサー３が検知した場合に上述した処理を実施するようにすることも可能である。
【００４０】
（実施形態７）
図８は、本実施形態に係る画像形成装置１が室内照明消灯時に記録ヘッド４のクリーニング又はリフレッシングを選択して行う処理の流れの例を示す。本実施形態では、室内照明消灯時に記録ヘッド４のクリーニング又はリフレッシングを選択して行う処理の流れについて、図８に示すフローチャートを用いて詳細に説明する。
【００４１】
まず、画像形成装置１は、室内照明が点灯しているとセンサー３が判断し、点灯待機状態である（ステップＳ８０１）。次に、消灯状態の経過時間のカウントをリセットする（ステップＳ８０２）。続いて、センサー３が室内照明消灯を検知したか否かを判断する（ステップＳ８０３）。照明消灯を検知しない場合（ステップＳ８０３／ＮＯ）は、上記ステップＳ８０１の状態、すなわち点灯待機状態に戻る。一方、センサー３が照明消灯を検知した場合（ステップＳ８０３／ＹＥＳ）は、消灯状態の経過時間が、所定時間を越えたか否かを判断する（ステップＳ８０４）。
【００４２】
消灯状態の経過時間が所定時間を越えていない場合（ステップＳ８０４／ＮＯ）は、経過時間をカウントアップし（ステップＳ８０５）、上記ステップＳ８０３の処理に戻る。一方、消灯状態の経過時間が所定時間を越えている場合（ステップＳ８０４／ＹＥＳ）は、予め設定されているメンテナンス動作が記録ヘッド４のクリーニングであるかリフレッシングであるかを判断する（ステップＳ８０６）。
【００４３】
メンテナンス動作として記録ヘッド４のクリーニングが設定されている場合（ステップＳ８０６／クリーニング）は、画像形成部２が維持装置５を用いて記録ヘッド４のクリーニングを実施する(ステップＳ８０７)。一方、メンテナンス動作として記録ヘッド４のリフレッシングが設定されている場合（ステップＳ８０６／リフレッシング）は、画像形成部２が維持装置５を用いて記録ヘッド４のリフレッシングを実施する(ステップＳ８０８)。記録ヘッド４のクリーニング又はリフレッシングが終了すると、消灯待機状態に移行する（ステップＳ８０９）。
【００４４】
本実施形態により、メンテナンス動作として予め記録ヘッド４のクリーニング又はリフレッシングを設定することが可能となる。利用者の日々のプリントボリュームによっては、メンテナンス動作を指定したほうが効果的である。
【００４５】
尚、本実施形態ではメンテナンス動作として記録ヘッド４のクリーニング又はリフレッシングを設定する例について説明したが、これに限定されるものではなく、他のメンテナンス動作を設定するようにすることも可能である。
【００４６】
また、本実施形態では、室内照明が消灯されたとセンサー３が検知した場合に、メンテナンス動作を実施する例について説明したが、室内照明が点灯されたとセンサー３が検知した場合に上述した処理を実施するようにすることも可能である。
【００４７】
（実施形態８）
図９は、本実施形態に係る画像形成装置１が室内照明消灯時に曜日毎に設定されたメンテナンス動作を行う処理の流れの例を示す。本実施形態では、室内照明消灯時に曜日毎に設定されたメンテナンス動作を行う処理の流れについて、図９に示すフローチャートを用いて詳細に説明する。
【００４８】
まず、画像形成装置１は、室内照明が点灯しているとセンサー３が判断し、点灯待機状態である（ステップＳ９０１）。次に、消灯状態の経過時間のカウントをリセットする（ステップＳ９０２）。続いて、センサー３が室内照明消灯を検知したか否かを判断する（ステップＳ９０３）。照明消灯を検知しない場合（ステップＳ９０３／ＮＯ）は、上記ステップＳ９０１の状態、すなわち点灯待機状態に戻る。一方、センサー３が照明消灯を検知した場合（ステップＳ９０３／ＹＥＳ）は、消灯状態の経過時間が、所定時間を越えたか否かを判断する（ステップＳ９０４）。
【００４９】
消灯状態の経過時間が所定時間を越えていない場合（ステップＳ９０４／ＮＯ）は、経過時間をカウントアップし（ステップＳ９０５）、上記ステップＳ９０３の処理に戻る。一方、消灯状態の経過時間が所定時間を越えている場合（ステップＳ９０４／ＹＥＳ）は、カレンダー機能部６から、曜日毎に設定されたメンテナンス条件情報を取得し（ステップＳ９０６）、メンテナンス条件を判断する（ステップＳ９０７）。
【００５０】
予め設定されたメンテナンス条件が記録ヘッドのクリーニングであった場合（ステップＳ９０７／クリーニング）は、画像形成部２が維持装置５を用いて記録ヘッド４のクリーニングを実施する(ステップＳ９０８)。メンテナンス動作として記録ヘッド４のリフレッシングが設定されている場合（ステップＳ９０７／リフレッシング）は、画像形成部２が維持装置５を用いて記録ヘッド４のリフレッシングを実施する(ステップＳ９０９)。また、メンテナンス動作を実施しないと設定されている場合（ステップＳ９０７／非実施）は、メンテナンス動作を実施せずに消灯待機状態に移行する（ステップＳ９１０）。また、記録ヘッド４のクリーニング又はリフレッシングが終了した場合にも、消灯待機状態に移行する（ステップＳ９１０）。
【００５１】
本実施形態により、カレンダー機能部６に曜日とメンテナンス動作条件を登録することで、その登録情報に基づいて、記録ヘッド４のクリーニング又はリフレッシングの実施や、メンテナンス動作を実施しないことを設定することが可能となる。特に、公官庁や病院などでは、一般的に平日に多くの印刷を行う。そのため、平日の業務時間外に指定してメンテナンス動作を実施することで、利便性を向上させることが可能となる。
【００５２】
尚、本実施形態ではカレンダー機能部６に曜日とメンテナンス動作条件を登録する例について説明したが、これに限定されるものではない。例えば、メンテナンスを実施する曜日を設定するのではなく、月日を指定することも可能であり、時間を指定することも可能である。また、メンテナンス動作の種別は、記録ヘッド４のクリーニング又はリフレッシングに限定されるものではなく、他のメンテナンス動作に適用することも可能である。
【００５３】
また、本実施形態では、室内照明が消灯されたとセンサー３が検知した場合に、登録されたメンテナンス条件からメンテナンス動作の非実施又は実施をする例について説明したが、室内照明が点灯されたとセンサー３が検知した場合に上述した処理を実施するようにすることも可能である。
【００５４】
（実施形態９）
図１０は、本実施形態に係る画像形成装置１が室内照明消灯時に、曜日毎に設定されたメンテナンス動作をインクの残量に基づいて行うか否かを判断する処理の流れの例を示す。本実施形態では、室内照明消灯時に曜日毎に設定されたメンテナンス動作をインク残量に基づいて行うか否かを判断する処理の流れについて、図１０に示すフローチャートを用いて詳細に説明する。
【００５５】
まず、画像形成装置１は、室内照明が点灯しているとセンサー３が判断し、点灯待機状態である（ステップＳ１００１）。次に、消灯状態の経過時間のカウントをリセットする（ステップＳ１００２）。続いて、センサー３が室内照明消灯を検知したか否かを判断する（ステップＳ１００３）。照明消灯を検知しない場合（ステップＳ１００３／ＮＯ）は、上記ステップＳ１００１の状態、すなわち点灯待機状態に戻る。一方、センサー３が照明消灯を検知した場合（ステップＳ１００３／ＹＥＳ）は、消灯状態の経過時間が、所定時間を越えたか否かを判断する（ステップＳ１００４）。
【００５６】
消灯状態の経過時間が所定時間を越えていない場合（ステップＳ１００４／ＮＯ）は、経過時間をカウントアップし（ステップＳ１００５）、上記ステップＳ１００３の処理に戻る。一方、消灯状態の経過時間が所定時間を越えている場合（ステップＳ１００４／ＹＥＳ）は、カレンダー機能部６から、曜日毎に設定されたメンテナンス条件情報を取得し（ステップＳ１００６）、メンテナンス条件を判断する（ステップＳ１００７）。
【００５７】
予め設定されたメンテナンス動作の条件が記録ヘッド４のリフレッシングである場合（ステップＳ１００７／リフレッシング）は、現在のインク残量で記録ヘッド４のリフレッシングが可能か否かを、インク残量検出部７から取得したインク残量に基づいて判断する（ステップＳ１００８）。現在のインク残量で記録ヘッド４のリフレッシングが可能な場合（ステップＳ１００８／ＹＥＳ）は、画像形成部２が維持装置５を用いて記録ヘッド４のリフレッシングを実施し(ステップＳ１０１０)、リフレッシング終了後、消灯待機状態に移行する（ステップＳ１０１２）。
【００５８】
一方、現在のインク残量ではリフレッシングが不可能な場合（ステップＳ１００８／ＮＯ）は、現在のインク残量で記録ヘッド４のクリーニングが可能であるか否かを判断する（ステップＳ１００９）。上記ステップＳ１００７において、予め設定されたメンテナンス動作の条件が記録ヘッド４のクリーニングである場合（ステップＳ１００７／クリーニング）にも、上記ステップＳ１００９の処理を行う。インク残量検出部７から取得したインク残量情報から記録ヘッド４のクリーニングが可能であると判断された場合（ステップＳ１００９／ＹＥＳ）は、画像形成部２が維持装置５を用いて記録ヘッド４のクリーニングを実施し(ステップＳ１０１１)、クリーニングの終了後、消灯待機状態に移行する（ステップＳ１０１２）。
【００５９】
また、インク残量検出部７から取得したインク残量情報により記録ヘッド４のクリーニングが不可能であると判断された場合（ステップＳ１００９／ＮＯ）又は上記ステップＳ１００７においてメンテナンス動作を実施しないと設定されている場合（ステップＳ１００７／非実施）には、メンテナンス動作を実施せずに消灯待機状態に移行する（ステップＳ１０１２）。
【００６０】
本実施形態により、インク残量検出部７から取得したインク残量に基づいて、メンテナンスの実施条件を、リフレッシング、クリーニング、非実施の順で実施可能なレベルまで下げることが可能となる。つまり、インク残量に応じて可能なレベルでメンテナンスを実施することが可能となるので、記録ヘッド４の状態を可能な限り良好な状態に維持することが可能となる。そのため、印刷時にメンテナンス動作が必要となった場合であっても、その処理時間を短縮することが可能となる。
【００６１】
また、本実施形態では、室内照明が消灯されたとセンサー３が検知した場合に、登録されたメンテナンス条件からメンテナンス動作の非実施又は実施をする例について説明したが、室内照明が点灯されたとセンサー３が検知した場合に上述した処理を実施するようにすることも可能である。
【００６２】
（実施形態１０）
図１１は、本実施形態に係る画像形成装置１において、メンテナンス動作が終了した後に夜間省エネモードに移行する処理の流れの例を示す。本実施形態では、メンテナンス動作が終了した後に夜間省エネモードに移行する処理の流れの例について、図１１に示すフローチャートを用いて詳細に説明する。
【００６３】
まず、画像形成装置１は、室内照明が点灯しているとセンサー３が判断し、点灯待機状態である（ステップＳ１１０１）。次に、消灯状態の経過時間のカウントをリセットする（ステップＳ１１０２）。続いて、センサー３が室内照明消灯を検知したか否かを判断する（ステップＳ１１０３）。照明消灯を検知しない場合（ステップＳ１１０３／ＮＯ）は、上記ステップＳ１１０１の状態、すなわち点灯待機状態に戻る。一方、センサー３が照明消灯を検知した場合（ステップＳ１１０３／ＹＥＳ）は、消灯状態の経過時間が、所定時間を越えたか否かを判断する（ステップＳ１１０４）。
【００６４】
消灯状態の経過時間が所定時間を越えていない場合（ステップＳ１１０４／ＮＯ）は、経過時間をカウントアップし（ステップＳ１１０５）、上記ステップＳ１１０３の処理に戻る。一方、消灯状態の経過時間が所定時間を越えている場合（ステップＳ１１０４／ＹＥＳ）は、カレンダー機能部６から、曜日毎に設定されたメンテナンス条件情報を取得し（ステップＳ１１０６）、メンテナンス条件を判断する（ステップＳ１１０７）。
【００６５】
予め設定されたメンテナンス動作の条件が記録ヘッド４のリフレッシングである場合（ステップＳ１１０７／リフレッシング）は、現在のインク残量で記録ヘッド４のリフレッシングが可能か否かを、インク残量検出部７から取得したインク残量に基づいて判断する（ステップＳ１１０８）。現在のインク残量で記録ヘッド４のリフレッシングが可能な場合（ステップＳ１１０８／ＹＥＳ）は、画像形成部２が維持装置５を用いて記録ヘッド４のリフレッシングを実施する(ステップＳ１１１０)。そして、リフレッシング終了後、電源管理部８により、電源状態を夜間省エネモードに移行する（ステップＳ１１１２）。
【００６６】
一方、現在のインク残量ではリフレッシングが不可能な場合（ステップＳ１１０８／ＮＯ）は、現在のインク残量で記録ヘッド４のクリーニングが可能であるか否かを判断する（ステップＳ１１０９）。上記ステップＳ１１０７において、予め設定されたメンテナンス動作の条件が記録ヘッド４のクリーニングである場合（ステップＳ１１０７／クリーニング）にも、上記ステップＳ１１０９の処理を行う。インク残量検出部７から取得したインク残量情報から記録ヘッド４のクリーニングが可能であると判断された場合（ステップＳ１１０９／ＹＥＳ）は、画像形成部２が維持装置５を用いて記録ヘッド４のクリーニングを実施する(ステップＳ１１１１)。そして、クリーニングの終了後、電源管理部８により、電源状態を夜間省エネモードに移行する（ステップＳ１１１２）。
【００６７】
また、インク残量検出部７から取得したインク残量情報により記録ヘッド４のクリーニングが不可能であると判断された場合（ステップＳ１１０９／ＮＯ）又は上記ステップＳ１１０７においてメンテナンス動作を実施しないと設定されている場合（ステップＳ１１０７／非実施）には、メンテナンス動作を実施しない。そして、電源管理部８により、電源状態を夜間省エネモードに移行する（ステップＳ１１１２）。
【００６８】
本実施形態により、センサー３が室内照明の消灯を検出した場合には、メンテナンス動作終了後に、夜間省エネモードに移行することが可能となる。メンテナンス終了後に、室内照明が消灯している場合には、画像形成装置１は利用されることは少ないので、一番の省エネ状態である夜間省エネモードに移行することにより、無駄な電力の消費を低減することが可能となる。
【００６９】
（実施形態１１）
図１２は、本実施形態に係る画像形成装置１において、メンテナンス動作が終了した後に電源ＯＦＦにする処理の流れの例を示す。本実施形態では、メンテナンス動作が終了した後に電源ＯＦＦにする処理の流れの例について、図１２に示すフローチャートを用いて詳細に説明する。
【００７０】
まず、画像形成装置１は、室内照明が点灯しているとセンサー３が判断し、点灯待機状態である（ステップＳ１２０１）。次に、消灯状態の経過時間のカウントをリセットする（ステップＳ１２０２）。続いて、センサー３が室内照明消灯を検知したか否かを判断する（ステップＳ１２０３）。照明消灯を検知しない場合（ステップＳ１２０３／ＮＯ）は、上記ステップＳ１２０１の状態、すなわち点灯待機状態に戻る。一方、センサー３が照明消灯を検知した場合（ステップＳ１２０３／ＹＥＳ）は、消灯状態の経過時間が、所定時間を越えたか否かを判断する（ステップＳ１２０４）。
【００７１】
消灯状態の経過時間が所定時間を越えていない場合（ステップＳ１２０４／ＮＯ）は、経過時間をカウントアップし（ステップＳ１２０５）、上記ステップＳ１２０３の処理に戻る。一方、消灯状態の経過時間が所定時間を越えている場合（ステップＳ１２０４／ＹＥＳ）は、カレンダー機能部６から、曜日毎に設定されたメンテナンス条件情報を取得し（ステップＳ１２０６）、メンテナンス条件を判断する（ステップＳ１２０７）。
【００７２】
予め設定されたメンテナンス動作の条件が記録ヘッド４のリフレッシングである場合（ステップＳ１２０７／リフレッシング）は、現在のインク残量で記録ヘッド４のリフレッシングが可能か否かを、インク残量検出部７から取得したインク残量に基づいて判断する（ステップＳ１２０８）。現在のインク残量で記録ヘッド４のリフレッシングが可能な場合（ステップＳ１２０８／ＹＥＳ）は、画像形成部２が維持装置５を用いて記録ヘッド４のリフレッシングを実施する(ステップＳ１２１０)。そして、リフレッシング終了後、電源管理部８により、電源状態を電源ＯＦＦに移行する（ステップＳ１２１２）。
【００７３】
一方、現在のインク残量ではリフレッシングが不可能な場合（ステップＳ１２０８／ＮＯ）は、現在のインク残量で記録ヘッド４のクリーニングが可能であるか否かを判断する（ステップＳ１２０９）。上記ステップＳ１２０７において、予め設定されたメンテナンス動作の条件が記録ヘッド４のクリーニングである場合（ステップＳ１２０７／クリーニング）にも、上記ステップＳ１２０９の処理を行う。インク残量検出部７から取得したインク残量情報から記録ヘッド４のクリーニングが可能であると判断された場合（ステップＳ１２０９／ＹＥＳ）は、画像形成部２が維持装置５を用いて記録ヘッド４のクリーニングを実施する(ステップＳ１２１１)。そして、クリーニングの終了後、電源管理部８により、電源状態を電源ＯＦＦに移行する（ステップＳ１２１２）。
【００７４】
また、インク残量検出部７から取得したインク残量情報により記録ヘッド４のクリーニングが不可能であると判断された場合（ステップＳ１２０９／ＮＯ）又は上記ステップＳ１２０７においてメンテナンス動作を実施しないと設定されている場合（ステップＳ１２０７／非実施）には、メンテナンス動作を実施しない。そして、電源管理部８により、電源状態を電源ＯＦＦに移行する（ステップＳ１２１２）。
【００７５】
本実施形態により、センサー３が室内照明の消灯を検出した場合には、メンテナンス動作終了後に、電源ＯＦＦにすることが可能となる。メンテナンス終了後に、室内照明が消灯している場合には、画像形成装置１は利用されることは殆どないので、電源ＯＦＦにすることにより、無駄な電力の消費を防ぐことが可能となる。
【００７６】
（実施形態１２）
図１３は、本実施形態に係る画像形成装置１において、メンテナンス動作が終了した後に日中省エネモードに移行する処理の流れの例を示す。本実施形態では、メンテナンス動作が終了した後に日中省エネモードに移行する処理の流れの例について、図１３に示すフローチャートを用いて詳細に説明する。
【００７７】
まず、画像形成装置１は、室内照明が消灯しているとセンサー３が判断し、消灯待機状態である（ステップＳ１３０１）。次に、点灯状態の経過時間のカウントをリセットする（ステップＳ１３０２）。続いて、センサー３が室内照明点灯を検知したか否かを判断する（ステップＳ１３０３）。照明点灯を検知しない場合（ステップＳ１３０３／ＮＯ）は、上記ステップＳ１３０１の状態、すなわち消灯待機状態に戻る。一方、センサー３が照明点灯を検知した場合（ステップＳ１３０３／ＹＥＳ）は、点灯状態の経過時間が、所定時間を越えたか否かを判断する（ステップＳ１３０４）。
【００７８】
点灯状態の経過時間が所定時間を越えていない場合（ステップＳ１３０４／ＮＯ）は、経過時間をカウントアップし（ステップＳ１３０５）、上記ステップＳ１３０３の処理に戻る。一方、点灯状態の経過時間が所定時間を越えている場合（ステップＳ１３０４／ＹＥＳ）は、カレンダー機能部６から、曜日毎に設定されたメンテナンス条件情報を取得し（ステップＳ１３０６）、メンテナンス条件を判断する（ステップＳ１３０７）。
【００７９】
予め設定されたメンテナンス動作の条件が記録ヘッド４のリフレッシングである場合（ステップＳ１３０７／リフレッシング）は、現在のインク残量で記録ヘッド４のリフレッシングが可能か否かを、インク残量検出部７から取得したインク残量に基づいて判断する（ステップＳ１３０８）。現在のインク残量で記録ヘッド４のリフレッシングが可能な場合（ステップＳ１３０８／ＹＥＳ）は、画像形成部２が維持装置５を用いて記録ヘッド４のリフレッシングを実施する(ステップＳ１３１０)。そして、リフレッシング終了後、電源管理部８により、電源状態を日中省エネモードに移行する（ステップＳ１３１２）。
【００８０】
一方、現在のインク残量ではリフレッシングが不可能な場合（ステップＳ１３０８／ＮＯ）は、現在のインク残量で記録ヘッド４のクリーニングが可能であるか否かを判断する（ステップＳ１３０９）。上記ステップＳ１３０７において、予め設定されたメンテナンス動作の条件が記録ヘッド４のクリーニングである場合（ステップＳ１３０７／クリーニング）にも、上記ステップＳ１３０９の処理を行う。インク残量検出部７から取得したインク残量情報から記録ヘッド４のクリーニングが可能であると判断された場合（ステップＳ１３０９／ＹＥＳ）は、画像形成部２が維持装置５を用いて記録ヘッド４のクリーニングを実施する(ステップＳ１３１１)。そして、クリーニングの終了後、電源管理部８により、電源状態を日中省エネモードに移行する（ステップＳ１３１２）。
【００８１】
また、インク残量検出部７から取得したインク残量情報により記録ヘッド４のクリーニングが不可能であると判断された場合（ステップＳ１３０９／ＮＯ）又は上記ステップＳ１３０７においてメンテナンス動作を実施しないと設定されている場合（ステップＳ１３０７／非実施）には、メンテナンス動作を実施しない。そして、電源管理部８により、電源状態を日中省エネモードに移行する（ステップＳ１３１２）。
【００８２】
本実施形態により、センサー３が室内照明の点灯を検出した場合には、メンテナンス動作終了後に、日中省エネモードに移行することが可能となる。メンテナンス終了後に、室内照明が点灯している場合には、画像形成装置１は利用される可能性が高いので、二番の省エネ状態である日中省エネモードに移行することにより、無駄な電力の消費を低減することが可能となる。
【００８３】
（実施形態１３）
図１４は、本実施形態に係る画像形成装置１において、メンテナンス動作が終了した後に通常稼動モードに移行する処理の流れの例を示す。本実施形態では、メンテナンス動作が終了した後に通常稼動モードに移行する処理の流れの例について、図１４に示すフローチャートを用いて詳細に説明する。
【００８４】
まず、画像形成装置１は、室内照明が消灯しているとセンサー３が判断し、消灯待機状態である（ステップＳ１４０１）。次に、点灯状態の経過時間のカウントをリセットする（ステップＳ１４０２）。続いて、センサー３が室内照明点灯を検知したか否かを判断する（ステップＳ１４０３）。照明点灯を検知しない場合（ステップＳ１４０３／ＮＯ）は、上記ステップＳ１４０１の状態、すなわち消灯待機状態に戻る。一方、センサー３が照明点灯を検知した場合（ステップＳ１４０３／ＹＥＳ）は、点灯状態の経過時間が、所定時間を越えたか否かを判断する（ステップＳ１４０４）。
【００８５】
点灯状態の経過時間が所定時間を越えていない場合（ステップＳ１４０４／ＮＯ）は、経過時間をカウントアップし（ステップＳ１４０５）、上記ステップＳ１４０３の処理に戻る。一方、点灯状態の経過時間が所定時間を越えている場合（ステップＳ１４０４／ＹＥＳ）は、カレンダー機能部６から、曜日毎に設定されたメンテナンス条件情報を取得し（ステップＳ１４０６）、メンテナンス条件を判断する（ステップＳ１４０７）。
【００８６】
予め設定されたメンテナンス動作の条件が記録ヘッド４のリフレッシングである場合（ステップＳ１４０７／リフレッシング）は、現在のインク残量で記録ヘッド４のリフレッシングが可能か否かを、インク残量検出部７から取得したインク残量に基づいて判断する（ステップＳ１４０８）。現在のインク残量で記録ヘッド４のリフレッシングが可能な場合（ステップＳ１４０８／ＹＥＳ）は、画像形成部２が維持装置５を用いて記録ヘッド４のリフレッシングを実施する(ステップＳ１４１０)。そして、リフレッシング終了後、電源管理部８により、電源状態を通常稼動モードに移行する（ステップＳ１４１２）。
【００８７】
一方、現在のインク残量ではリフレッシングが不可能な場合（ステップＳ１４０８／ＮＯ）は、現在のインク残量で記録ヘッド４のクリーニングが可能であるか否かを判断する（ステップＳ１４０９）。上記ステップＳ１４０７において、予め設定されたメンテナンス動作の条件が記録ヘッド４のクリーニングである場合（ステップＳ１４０７／クリーニング）にも、上記ステップＳ１４０９の処理を行う。インク残量検出部７から取得したインク残量情報から記録ヘッド４のクリーニングが可能であると判断された場合（ステップＳ１４０９／ＹＥＳ）は、画像形成部２が維持装置５を用いて記録ヘッド４のクリーニングを実施する(ステップＳ１４１１)。そして、クリーニングの終了後、電源管理部８により、電源状態を通常稼動モードに移行する（ステップＳ１４１２）。
【００８８】
また、インク残量検出部７から取得したインク残量情報により記録ヘッド４のクリーニングが不可能であると判断された場合（ステップＳ１４０９／ＮＯ）又は上記ステップＳ１４０７においてメンテナンス動作を実施しないと設定されている場合（ステップＳ１４０７／非実施）には、メンテナンス動作を実施しない。そして、電源管理部８により、電源状態を通常稼動モードに移行する（ステップＳ１４１２）。
【００８９】
本実施形態により、センサー３が室内照明の点灯を検出した場合には、メンテナンス動作終了後に、通常稼動モードに移行することが可能となる。メンテナンス終了後に、室内照明が点灯している場合には、画像形成装置１は直ちに利用される可能性が高いので、通常稼動モードに移行する。そのため、画像形成装置１が省エネモードから復帰する時間を待たずに、利用者は直ちに印刷処理を行うことが可能となる。
【００９０】
尚、上述した実施形態８〜１３では、カレンダー機能部６に曜日とメンテナンス動作条件を登録する例について説明したが、これに限定されるものではない。例えば、メンテナンスを実施する曜日を設定するのではなく、月日を指定することも可能であり、時間を指定することも可能である。また、メンテナンス動作の種別は、記録ヘッド４のクローニング又はリフレッシングに限定されるものではなく、他のメンテナンス動作に適用することも可能である。
【００９１】
尚、各図のフローチャートに示す処理を、ＣＰＵが実行するためのプログラムは本発明によるプログラムを構成する。このプログラムを記録するコンピュータ読み取り可能な記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００９２】
以上好適な実施の形態に基づき具体的に説明したが、本発明は上述した画像形成装置及びその方法に限定されるものではなく、その要旨を逸脱しない範囲で種々変更可能であるということは言うまでもない。
【図面の簡単な説明】
【００９３】
【図１】本発明の実施形態に係る画像形成装置の有する機能の例を示すブロック図である。
【図２】本実施形態に係る画像形成装置が室内照明消灯時にメンテナンスを行う処理の流れの例を示すフローチャートである。
【図３】本実施形態に係る画像形成装置が室内照明消灯時にメンテナンスを行う処理の流れの例を示すフローチャートである。
【図４】本実施形態に係る画像形成装置が室内照明点灯時にメンテナンスを行う処理の流れの例を示すフローチャートである。
【図５】本実施形態に係る画像形成装置が室内照明点灯時にメンテナンスを行う処理の流れの例を示すフローチャートである。
【図６】本実施形態に係る画像形成装置が室内照明消灯時に記録ヘッドのクリーニングを行う処理の流れの例を示すフローチャートである。
【図７】本実施形態に係る画像形成装置が室内照明消灯時に記録ヘッドのリフレッシングを行う処理の流れの例を示すフローチャートである。
【図８】本実施形態に係る画像形成装置が室内照明消灯時に記録ヘッドのクリーニング又はリフレッシングを選択して行う処理の流れの例を示すフローチャートである。
【図９】本実施形態に係る画像形成装置が室内照明消灯時に曜日毎に設定されたメンテナンス動作を行う処理の流れの例を示すフローチャートである。
【図１０】本実施形態に係る画像形成装置が室内照明消灯時に、曜日毎に設定されたメンテナンス動作をインクの残量に基づいて行うか否かを判断する処理の流れの例を示すフローチャートである。
【図１１】本実施形態に係る画像形成装置において、メンテナンス動作が終了した後に夜間省エネモードに移行する処理の流れの例を示すフローチャートである。
【図１２】本実施形態に係る画像形成装置において、メンテナンス動作が終了した後に電源ＯＦＦにする処理の流れの例を示すフローチャートである。
【図１３】本実施形態に係る画像形成装置において、メンテナンス動作が終了した後に日中省エネモードに移行する処理の流れの例を示す。
【図１４】本実施形態に係る画像形成装置において、メンテナンス動作が終了した後に通常稼動モードに移行する処理の流れの例を示すフローチャートである。
【符号の説明】
【００９４】
１    画像形成装置
２    画像形成部
３    センサー
４    記録ヘッド
５    維持装置
６    カレンダー機能部
７    インク残量検出部
８    電源管理部
【図１】
2009255425.tif 000003
【図２】
2009255425.tif 000004
【図３】
2009255425.tif 000005
【図４】
2009255425.tif 000006
【図５】
2009255425.tif 000007
【図６】
2009255425.tif 000008
【図７】
2009255425.tif 000009
【図８】
2009255425.tif 000010
【図９】
2009255425.tif 000011
【図１０】
2009255425.tif 000012
【図１１】
2009255425.tif 000013
【図１２】
2009255425.tif 000014
【図１３】
2009255425.tif 000015
【図１４】
2009255425.tif 000016